(57)【要約】【課題】ユーザによるニーズの高い災害情報を配信する。【解決手段】受信局３０では、放送局２０から送られた３チャネルの映像情報のいずれかを又は複数を選択手段３２により選択して、受信表示装置３１に表示する。この選択されたチャネル情報は、送信手段３３からネットワーク５０を介して放送局２０へ送られる。放送局２０では、ネットワーク５０を介して複数の受信局３０から送られてくるチャネル情報を受信手段２２が受け取り、例えば多数決をとって、作成制御手段２３へ１つのチャネル情報を送出する。作成制御手段２３は、この１つのチャネル情報に基づき、当初３チャネルであった災害情報放送を、対応する１チャネルの災害情報だけを１２セグメントで作成するようにコンテンツ作成手段２１を制御する。１２セグメントで作成する時間を制御し、また元の３チャネルによる放送へ戻すなどの制御を行う。【選択図】図１
2008236423.tif 000002
【特許請求の範囲】
【請求項１】
災害情報を収集して提供する災害情報提供システムと、
前記災害情報収集システムから提供された災害情報に基づき複数のコンテンツを作成するコンテンツ作成手段を含み、作成されたコンテンツを地上波ディジタル放送により配信する放送局と、
この放送局から配信されたコンテンツを表示する受信表示装置と、この受信表示装置に表示するコンテンツを選択する選択手段と、選択手段が選択したコンテンツに対応するチャネル情報をネットワークへ送信する送信手段とを備える複数の受信局と、
この複数の受信局に備えられた送信手段から送られるチャネル情報をネットワークを介して受信する受信手段と、受信されたチャネル情報に基づき前記コンテンツ作成手段によるコンテンツ作成を制御する作成制御手段とが、前記放送局に備えられていることを特徴とする災害情報配信システム。
【請求項２】
前記放送局には、前記受信手段により受信されたチャネル情報に基づき前記災害情報提供システムにより提供された災害情報のアクセス頻度情報を作成し、前記災害情報提供システムへ送信するアクセス頻度作成手段が備えられており、
前記災害情報提供システムには、前記アクセス頻度作成手段により提供されたアクセス頻度情報に応じて、提供する災害情報を選択する選択制御手段が備えられていることを特徴する請求項１に記載の災害情報配信システム。
【請求項３】
前記放送局には、
前記受信手段により受信されたチャネル情報に基づき前記災害情報提供システムにより提供された災害情報のアクセス頻度情報を作成し出力するアクセス頻度作成手段と、
前記アクセス頻度作成手段により提供されたアクセス頻度情報に応じて、前記災害情報提供システムから提供される災害情報の選択を行う選択制御手段と、
が備えられていることを特徴する請求項１に記載の災害情報配信システム。
【請求項４】
前記送信手段は、時刻情報をチャネル情報と共に送信し、
前記作成制御手段は、到来するチャネル情報と時刻情報に基づき前記コンテンツ作成手段によるコンテンツ作成を制御することを特徴とする請求項１に記載の災害情報配信システム。
【請求項５】
前記送信手段は、時刻情報をチャネル情報と共に送信し、前記アクセス頻度作成手段は、受信手段により受信されたチャネル情報と時刻情報に基づき前記災害情報提供システムにより提供された災害情報のアクセス頻度情報を作成することを特徴とする請求項２または３に記載の災害情報配信システム。
【発明の詳細な説明】
【技術分野】
【０００１】
この発明は地上波ディジタル放送により災害情報配信を行う災害情報配信システムに関するものである。
【背景技術】
【０００２】
地上波ディジタル放送は、１２セグメントのハイビジョン放送を基本とするが、これを４セグメントの３チャネルで放送するなどの様々な放送形態が模索されており、災害情報配信を行うメディアとしての期待も大きい。
【０００３】
災害情報配信を行った場合に、問題となるのは如何にニーズの高い情報を配信するかということであり、基本的に視聴率を収集することになる。従来においても、視聴率の収集は行われており、データ放送において効率的に履歴情報を得るため、提供画面毎の画像情報から画像比較情報を作成してこれを送信することが特許文献１に開示されている。しかしながら、この特許文献１の技術は、データ放送においてはチャネルと視聴時間とでは、正確な履歴をとることができないという問題を解決するものであり、災害情報配信システムにそのまま適用しても効果があるものではない。
【０００４】
また、特許文献２には、電力消費を抑制すると共に緊急放送であることをユーザに理解させるために、緊急放送を録画すると共に録画の開始又は終了の直後に緊急放送が入ったことを表示部に表示させるものが開示されている。しかしながら、この引用文献２の装置では、ニーズの高い情報を配信できるものではなかった。
【０００５】
【特許文献１】２００４−３２０３６０号公報
【特許文献２】２００６−１０９１２２号公報
【発明の開示】
【発明が解決しようとする課題】
【０００６】
本発明は上記のような従来の災害情報配信システムにおける問題点を解決せんとしてなされたもので、その目的は、ユーザによるニーズの高い災害情報を配信することができる災害情報配信システムを提供することである。
【課題を解決するための手段】
【０００７】
本発明の災害情報配信システムは、災害情報を収集して提供する災害情報提供システムと、前記災害情報収集システムから提供された災害情報に基づき複数のコンテンツを作成するコンテンツ作成手段を含み、作成されたコンテンツを地上波ディジタル放送により配信する放送局と、この放送局から配信されたコンテンツを表示する受信表示装置と、この受信表示装置に表示するコンテンツを選択する選択手段と、選択手段が選択したコンテンツに対応するチャネル情報をネットワークへ送信する送信手段とを備える複数の受信局と、この複数の受信局に備えられた送信手段から送られるチャネル情報をネットワークを介して受信する受信手段と、受信されたチャネル情報に基づき前記コンテンツ作成手段によるコンテンツ作成を制御する作成制御手段とが、前記放送局に備えられていることを特徴とする。
【０００８】
本発明の災害情報配信システムでは、前記放送局には、前記受信手段により受信されたチャネル情報に基づき前記災害情報提供システムにより提供された災害情報のアクセス頻度情報を作成し、前記災害情報提供システムへ送信するアクセス頻度作成手段が備えられており、前記災害情報提供システムには、前記アクセス頻度作成手段により提供されたアクセス頻度情報に応じて、提供する災害情報を選択する選択制御手段が備えられていることを特徴する。
【０００９】
本発明の災害情報配信システムでは、前記放送局には、前記受信手段により受信されたチャネル情報に基づき前記災害情報提供システムにより提供された災害情報のアクセス頻度情報を作成し、出力するアクセス頻度作成手段と、前記アクセス頻度作成手段により提供されたアクセス頻度情報に応じて、前記災害情報提供システムから提供される災害情報の選択を行う選択制御手段と、が備えられていることを特徴する。
【００１０】
本発明の災害情報配信システムでは、前記送信手段は、時刻情報をチャネル情報と共に送信し、前記作成制御手段は、到来するチャネル情報と時刻情報に基づき前記コンテンツ作成手段によるコンテンツ作成を制御することを特徴とする。
【００１１】
本発明の災害情報配信システムでは、前記送信手段は、時刻情報をチャネル情報と共に送信し、前記アクセス頻度作成手段は、受信手段により受信されたチャネル情報と時刻情報に基づき前記災害情報提供システムにより提供された災害情報のアクセス頻度情報を作成することを特徴とする。
【発明の効果】
【００１２】
本発明に係る災害情報配信システムは、複数の受信局にから送られるチャネル情報をネットワークを介して受信し、受信されたチャネル情報に応じて、災害情報収集システムから提供された災害情報に基づき複数のコンテンツを作成するので、受信局側のニーズを反映させた災害情報収集システムから提供された災害情報に基づくコンテンツの配信が可能となる。
【００１３】
本発明に係る災害情報配信システムは、受信されたチャネル情報に基づき災害情報提供システムにより提供された災害情報のアクセス頻度情報を作成し、上記災害情報提供システムへ送信し、災害情報提供システムでは、提供されたアクセス頻度情報に応じて、提供する災害情報を選択するので、受信局側のニーズを反映させた災害情報が災害情報収集システムから提供される。
【００１４】
本発明に係る災害情報配信システムは、放送局には、受信されたチャネル情報に基づき災害情報提供システムにより提供された災害情報のアクセス頻度情報を作成し出力し、このアクセス頻度情報に応じて、災害情報提供システムから提供される災害情報の選択を行うので、災害情報収集システムから提供される災害情報の中から受信局側のニーズを反映させた災害情報が選択される。
【００１５】
本発明に係る災害情報配信システムは、受信局から時刻情報をチャネル情報と共に送信し、放送局では、到来するチャネル情報と時刻情報に基づきコンテンツ作成を制御するので、放送の時刻を考慮したニーズの把握が可能であり、受信局側のニーズを反映させた災害情報を提供することができる。
【００１６】
本発明に係る災害情報配信システムは、受信局から時刻情報をチャネル情報と共に送信し、チャネル情報と時刻情報に基づき上記災害情報提供システムにより提供された災害情報のアクセス頻度情報を作成するアクセス頻度情報が時刻を含んだ情報となり、放送の時刻を考慮したニーズの把握が可能であり、受信局側のニーズを反映させた災害情報を提供することができる。
【発明を実施するための最良の形態】
【００１７】
以下添付図面を参照して、本発明に係る災害情報配信システムの実施例を説明する。各図において、同一の構成要素には同一の符号を付し重複する説明を省略する。
【００１８】
＜実施例１＞
図１には、本発明の第１の実施例に係る災害情報配信システムが示されている。このシステムは、災害情報提供システム１０と、放送局２０と、受信局３０とから構成されている。受信局３０は複数である。
【００１９】
災害情報提供システム１０は、災害情報を収集して提供するものであり、テレビカメラ１１−１〜１１−ｎや、河川の水位、降雨量、道路の渋滞などを監視する収集部を備える。テレビカメラ１１−１〜１１−ｎから到来した映像情報は、災害情報提供システム１０を介して伝送部１３−１〜１３−ｎから伝送路４１−１〜４１−ｎ及び伝送部４３−１〜４３−ｎを介して送信する。映像情報の符号化方式などを災害情報提供システム１０において変更しても良い。
【００２０】
センサ１２−１〜１２−ｍから得られた情報は、ＬＡＮスイッチ１５を介して情報提供サーバ１６へ取り込んでいる。情報提供サーバ１６は、センサ１２−１〜１２−ｍから得られた情報の全て或いは異常を示す情報のみをルータ１７から伝送路４２及びルータ４４を介して送信する。テレビカメラ１１−１〜１１−ｎにより得られる映像情報やセンサ１２−１〜１２−ｍから得られる情報は、災害情報を構成する。
【００２１】
放送局２０には、コンテンツ作成手段２１、受信手段２２、作成制御手段２３、インタフェース２４及び地上波ディジタル放送の放送送信部２５が備えられている。コンテンツ作成手段２１は、インタフェース２４を介して災害情報収集システムから提供された災害情報を取り込み、この災害情報に基づき複数のコンテンツを作成するものである。コンテンツ作成手段２１により作成されたコンテンツは放送送信部２５から地上波ディジタル放送として受信局３０へ配信される。ここでは、コンテンツ作成手段２１は例えば４セグメントの映像情報を３チャネル作成して出力するものとする。
【００２２】
受信局３０には、受信表示装置３１と選択手段３２と送信手段３３とが備えられている。受信表示装置３１は、放送局から配信されたコンテンツを受信してモニタへ表示するものである。選択手段３２は、受信表示装置３１に表示するコンテンツを選択するリモコンとうにより構成される。送信手段３３は、選択手段３２が選択したコンテンツに対応するチャネル情報をネットワーク５０へ送信するものである。
【００２３】
受信局３０では、上記放送局２０から送られた３チャネルの映像情報のいずれかを又は複数を選択手段３２により選択して、受信表示装置３１に表示することができる。この選択されたチャネル情報は、送信手段３３からネットワーク５０を介して放送局２０へ送られる。
【００２４】
放送局２０では、ネットワーク５０を介して送られてくる複数の受信局３０から送られてくるチャネル情報を受信手段２２が受け取り、例えば多数決をとって、作成制御手段２３へ１つのチャネル情報を送出する。作成制御手段２３は、この１つのチャネル情報に基づき、当初３チャネルであった災害情報放送を、対応する１チャネルの災害情報だけを１２セグメントで作成するようにコンテンツ作成手段２１を制御する。１２セグメントで作成する時間を制御し、また元の３チャネルによる放送へ戻すなどの制御を行う。これにより、受信局側のニーズを反映させた災害情報のコンテンツの作成と配信がなされる。
【００２５】
なお、送信手段３３が時刻情報をチャネル情報と共に送信するようにし、コンテンツ作成手段２１が時系列で異なる場所や情報を切り換え作成するようにし、作成制御手段２３は、時刻情報とチャネル情報とを受け付け、多い時刻情報と対応のチャネル情報からコンテンツを特定し、３チャネルの１つを特定したコンテンツに固定してコンテンツ作成させるようにコンテンツ作成手段２１を制御しても良い。
【００２６】
＜実施例２＞
図２に第２の実施例に係る災害情報配信システムの構成図を示す。この実施例では、放送局２０Ａに、アクセス頻度作成手段２６が備えられる。アクセス頻度作成手段２６は、受信手段２２により受信されたチャネル情報に基づき災害情報提供システム１０Ａにより提供された災害情報のアクセス頻度情報を作成し出力するものである。
【００２７】
アクセス頻度作成手段２６は、例えば、図３に示すように、既放送の時間帯とチャネル毎の放送内容を示す放送内容情報とが対応付けられたテーブルを有し、送信手段３３が時刻情報をチャネル情報と共に送信する。受信手段２２は受信した時刻情報とチャネル情報のペアをアクセス頻度作成手段２６へ与える。アクセス頻度作成手段２６は、与えられた情報から、既放送の時間帯とチャネル毎に災害情報のクセス頻度情報を作成し、ルータ４４を介して伝送路４２及びルータ１７を介して災害情報提供システム１０Ａへ送信する。例えば、カメラＡの映像が頻度１１０、カメラＥの映像が頻度１３０、・・・などという災害情報のアクセス頻度情報を作成して送る。
【００２８】
この災害情報のアクセス頻度情報は災害情報提供システム１０Ａに設けられた選択制御手段１８が受け取る。選択制御手段１８は、上記アクセス頻度作成手段２６により提供されたアクセス頻度情報に応じて、提供する災害情報を選択する。例えば、カメラＥの映像、カメラＦと河川Ｓの水位、災害全容の文字放送が、上位３位であれば、情報提供サーバ１６に指示を与えて、河川Ｓの水位や災害全容の文字放送ができるような情報の送出を制御し、また、テレビカメラ１１−１〜１１−ｎの出力ラインに設けられたゲート１９を制御して、カメラＥの映像とカメラＦの映像が送られるように制御を行う。このような災害情報の選択により、上位３位までに対応する情報が送られ、不要な情報の送信が行われない。
【００２９】
作成制御手段２３は、アクセス頻度作成手段２６により作成されたアクセス頻度情報に応じて、対応の３つの災害情報だけを作成するようにコンテンツ作成手段２１を制御する。選択制御手段１８は所定時間だけ上記の制御を行い、また元のように映像や情報を送出させる。これに応えて作成制御手段２３は、また元の放送内容へ戻すなどの制御を行う。これにより、受信局側のニーズを反映させた災害情報のコンテンツの作成と配信がなされる。
【００３０】
＜実施例３＞
図４に第３の実施例に係る災害情報配信システムの構成図を示す。この実施例では、災害情報提供システム１０の構成を変えずに、選択制御手段２７を放送局２０Ｂに設けたものである。
【００３１】
選択制御手段２７は、上記アクセス頻度作成手段２６により提供されたアクセス頻度情報に応じて、インタフェース２４から出力される災害情報を選択する。例えば、カメラＥの映像、カメラＦと河川Ｓの水位、災害全容の文字放送が、上位３位であれば、河川Ｓの水位や災害全容の文字放送ができるような情報の選択を実行し、また、カメラＥの映像とカメラＦの映像が送られるように選択を行う。係る災害情報の選択により、上位３位までに対応する情報がコンテンツ作成手段２１へ送られ、必要な情報を得たコンテンツ作成手段２１は作成制御手段２３の制御の基に、対応の３つの災害情報だけを作成する。
【００３２】
選択制御手段２７は所定時間だけ上記の選択を行い、また元のように映像や情報を通過させる。これに応えて作成制御手段２３は、また元の放送へ戻すなどの制御を行う。これにより、受信局側のニーズを反映させた災害情報のコンテンツの作成と配信がなされることになる。
【図面の簡単な説明】
【００３３】
【図１】本発明に係る災害情報配信システムの第１の実施例を示す構成図。
【図２】本発明に係る災害情報配信システムの第２の実施例を示す構成図。
【図３】本発明に係る災害情報配信システムの第２の実施例において用いられるテーブルの内容を示す図。
【図４】本発明に係る災害情報配信システムの第３の実施例を示す構成図。
【符号の説明】
【００３４】
１０、１０Ａ  災害情報提供システム
１１−１〜１１−ｎ  テレビカメラ
１２−１〜１２−ｍ  センサ
１６  情報提供サーバ
１８  選択制御手段
２０、２０Ａ、２０Ｂ  放送局
２１  コンテンツ作成手段
２２  受信手段
２３  作成制御手段
２４  インタフェース
２５  放送送信部
２６  アクセス頻度作成手段
２７  選択制御手段
３０  受信局
３１  受信表示装置
３２  選択手段
３３  送信手段
５０  ネットワーク
【図１】
2008236423.tif 000003
【図２】
2008236423.tif 000004
【図３】
2008236423.tif 000005
【図４】
2008236423.tif 000006